(57)【特許請求の範囲】
【請求項１】
映像信号を発生する複数の映像信号発生装置で発生した映像信号を素材映像として表示する複数の監視用映像表示装置と、
前記複数の監視用映像表示装置に係る映像素材情報を各監視用映像表示装置毎に表示する複数の映像素材情報表示手段と、
前記各監視用映像表示装置毎に表示されている素材映像の送出の有無に係る送出情報を表示する複数の送出情報表示手段と、
前記複数の映像信号発生装置で発生した各映像信号に、前記映像素材情報及び送出情報の信号を多重化する複数の多重化手段と、
前記各多重化手段で多重化された信号の監視用映像表示装置への供給先を切り替える切替手段と、
該切替手段から出力された信号から、映像信号、映像素材情報及び送出情報の信号を分離し、夫々、対応した監視用映像表示装置、映像素材情報表示手段、及び送出情報表示手段に供給する複数の分離手段と、
を備えたことを特徴とする映像監視装置。
【請求項２】
前記映像素材情報及び送出情報の信号は、映像信号の非映像信号部分に多重化される構成であることを特徴とする請求項１に記載の映像監視装置。
【請求項３】
前記各映像信号は、デジタル・シリアル映像信号であることを特徴とする請求項１又は請求項２に記載の映像監視装置。
【発明の詳細な説明】
【０００１】
【産業上の利用分野】
本発明は、放送局等の映像システムにおける映像監視装置に関し、特に、ビデオカメラ等の映像信号発生装置、映像信号発生装置の映像素材情報、素材映像の送出情報を切り替える技術に関する。
【０００２】
【従来の技術】
例えば放送局には、複数のビデオカメラ等の映像信号発生装置（以後、「素材」と記す）で撮影された各映像を監視するため、複数のモニタを使用した映像監視装置が備えられている。
かかる映像監視装置では、映像を監視するために、複数のモニタに映出されている映像の素材名、即ち、素材の分類名を表示する必要がある。
【０００３】
従来の装置では、画像の素材名、素材画像の送出先名を表示するのに、アクリル版に素材名等を彫刻し、モニタにとり付けて表示したり、複数の表示板と照明装置を組み合わせ、１台のモニタで複数の素材を選択出来るシステムを構成し、映像切替に連動して照明装置を切替表示したり、送出する映像信号を切り替える映像切替器と、映像切替器と素材表示部との間に専用の制御線を配線した専用制御システムを構成し、該システムを用いて映像切替器に連動して表示信号を表示したりしている。
【０００４】
かかる専用制御システムで構成された装置では、どの素材の映像が送出されているか否かを表示するオンエア表示灯についても、専用の制御線を介してオンエア表示制御信号を出力してオンエア表示灯を点灯／消灯させるようにしている。
【０００５】
【発明が解決しようとする課題】
ところで、例えば複数の人が使用する場合に使用者の使い勝手に合わせモニタの位置を変更したい場合があるが、かかる場合、素材名等の変更も要求される。
従来の映像監視装置では、複数のモニタの接続を変更する以外に、素材名の表示板を付け替えたり、素材表示器、オンエア灯への制御線の配線を変更したりしているため、付替作業、配線の変更が煩雑である。
【０００６】
したがって、切り替えに誤りが発生するおそれもあり、万が一、切り替えに誤りがあると放送事故に直結する可能性もあるため、素材名を切り替え表示するシステムが必要になってくる。
本発明はこのような従来の課題に鑑みてなされたもので、誤りなく容易にモニタを変更することが可能な映像監視装置を提供することを目的とする。
【０００７】
【課題を解決するための手段】
このため、請求項１の発明にかかる映像監視装置では、映像信号を発生する複数の映像信号発生装置で発生した映像信号を素材映像として表示する複数の監視用映像表示装置と、前記複数の監視用映像表示装置に係る映像素材情報を各監視用映像表示装置毎に表示する複数の映像素材情報表示手段と、前記各監視用映像表示装置毎に表示されている素材映像の送出の有無に係る送出情報を表示する複数の送出情報表示手段と、前記複数の映像信号発生装置で発生した各映像信号に、前記映像素材情報及び送出情報の信号を多重化する複数の多重化手段と、前記各多重化手段で多重化された信号の監視用映像表示装置への供給先を切り替える切替手段と、該切替手段から出力された信号から、映像信号、映像素材情報及び送出情報の信号を分離し、夫々、対応した監視用映像表示装置、映像素材情報表示手段、及び送出情報表示手段に供給する複数の分離手段と、を備えるようにした。
【０００８】
請求項２の発明にかかる映像監視装置では、前記映像素材情報及び送出情報の信号は、映像信号の非映像信号部分に多重化される構成である。
請求項３の発明にかかる映像監視装置では、前記各映像信号は、デジタル・シリアル映像信号である。
【０００９】
【作用】
請求項１の発明にかかる映像監視装置の構成によれば、多重化手段により、複数の映像信号発生装置で発生した映像信号に、前記映像素材情報及び送出情報の信号が多重化され、切替手段により、多重化された信号の監視用映像表示装置への送出先が設定される。切替手段から送出された信号は、分離手段により、映像信号、映像素材情報及び送出情報の信号に分離され、夫々、監視用映像表示装置、映像素材情報表示手段、及び送出情報表示手段に送出される。したがって映像信号を切り替えたとき、誤ることなく映像素材情報表示手段、送出情報表示手段も切り替えられる。
【００１０】
請求項２の発明にかかる映像監視装置の構成によれば、映像信号の非映像信号部分に映像素材情報及び送出情報の信号が多重化されるので、多重化した映像素材情報及び送出情報の信号を容易に分離することが可能となる。
請求項３の発明にかかる映像監視装置の構成によれば、映像信号がデジタル・シリアル映像信号であるため、簡単に映像素材情報及び送出情報を多重化することが可能であり、信頼性もさらに向上する。
【００１１】
【実施例】
以下、本発明の一実施例を図１〜図６に基づいて説明する。
図１は、本実施例の映像監視装置の構成を示すブロック図であり、図２は、例えば放送局の映像システムの構成を示す。
尚、この映像システムで使用される映像信号には、例えばＳＭＰＴＥ２５９Ｍ規格に準拠したデジタル・シリアル映像信号を使用する。デジタル映像信号を使用するのは、映像や音声信号の品質、信頼性を向上させるためであり、また、ＳＭＰＴＥ２５９Ｍ規格は、標準化されたコンポジットパラレルインタフェースであり、この規格では、コンポジット信号の非映像信号部である水平同期信号の一部に補助データを挿入できるようになっている。
【００１２】
図２に示す映像システムにおいて、ビデオカメラ１−１〜１−ｎは、夫々、映像信号を発生する映像信号発生装置である。ビデオカメラ１−１〜１−ｎで発生した映像信号は、夫々、アダプタ２−１〜２−ｎを介してデバイダ３−１〜３−ｎに入力される。
デバイダ３−１〜３−ｎは、メインスイッチャー４に出力される映像信号を分割して映像監視装置５に出力するものであり、メインスイッチャー４は、所定の映像信号を選択して送出するスイッチである。尚、メインスイッチャー４の出力側にもデバイダ６が備えられ、メイスイッチャー４から送出された映像信号は、デバイダ６によって分割され、モニタ７により監視される。
【００１３】
メインスイッチャー４に入力される素材映像を監視する本実施例の映像監視装置５には、信号付加器１１−１〜１１−ｎと、切替器１２と、信号検出器１３−１〜１３−ｎと、モニタ１４−１〜１４−ｎと、素材表示器１５−１〜１５−ｎと、オンエア灯１６−１〜１６−ｎと、によって構成されている。
信号付加器１１−１〜１１−ｎは、夫々、ビデオカメラ１−１〜１−ｎからの入力映像信号１〜Ｎに、素材名信号とオンエア制御信号とからなる入力制御信号１〜Ｎを付加するものであり、図３に示すように、各信号付加器は、ＳＭＰＴＥ２５９Ｍ規格に準拠したデジタル・シリアル映像信号を入力してデジタル・パラレル映像信号に変換するＳ／Ｐ変換部２１と、該Ｓ／Ｐ変換部２１からの情報に、素材名信号、及びオンエア制御信号を多重化する複合部２２と、多重化されたデジタル・パラレル映像信号を再びデジタル・シリアル映像信号に変換するＰ／Ｓ変換部２３と、によって構成されている。この信号付加器１１−１〜１１−ｎが多重化手段に相当する。
【００１４】
切替器１２は、ビデオカメラ１−１〜１−ｎから、夫々、入力された各入力映像信号を切り替えるものであり、切替器１２は例えばマトリックススイッチで構成されている。また、切替器１２には、図５（Ａ），（Ｂ）に示すような、マトリックススイッチを切り替えるためのスイッチ盤１２−１が備えられている。そして例えば、図中、左上のスイッチを押すとビデオカメラ１−１とモニタ１４−１の回線が接続され、ビデオカメラ１−１の多重化された映像信号がモニタ１４−１に出力される。この切替器１２が切替手段に相当する。
【００１５】
信号検出器１３−１〜１３−ｎは、切替器１２から、多重化されたデジタル・シリアル映像信号を入力し、かかる映像信号から素材名信号とオンエア制御信号を検出して分離し、映像信号、素材名信号、及びオンエア制御信号を出力するものであり、図４に示すように、デジタル・シリアル映像信号を入力してシリアル／パラレル変換を行うＳ／Ｐ変換部３３と、変換されたデジタル・パラレル映像信号についてデジタル／アナログ変換を行うＤ／Ａ変換部３４と、デジタル・パラレル映像信号から素材名信号とオンエア制御信号を検出して分離する信号検出部３５と、によって構成されている。この信号検出器１３−１〜１３−ｎが分離手段に相当する。
【００１６】
素材表示器１５−１〜１５−ｎは、夫々、信号検出部１３−１〜１３−ｎからの素材名信号を受けてモニタ１４−１〜１４−ｎに対応して素材名称を表示するものであり、オンエア表示灯１６−１〜１６−ｎは、夫々、信号検出部１３−１〜１３−ｎからのオンエア制御信号を受けてモニタ１４−１〜１４−ｎに対応したオンエア表示を行うものである。
【００１７】
次に動作を説明する。
図２において、ビデオカメラ１−１〜１−ｎで発生した映像信号はＳＭＰＴＥ２５９Ｍ規格のデジタル・シリアル映像信号である。
図６は、ＳＭＰＴＥ２５９Ｍ規格に準拠したデジタル・シリアル映像信号を示す。前述のようにＳＭＰＴＥ２５９Ｍ規格では、コンポジット信号の水平同期信号に補助データを挿入できるようになっており、補助データを挿入できる位置は、図中、ＴＲＳ信号に続いた位置である。
【００１８】
ビデオカメラ１−１〜１−ｎで発生したデジタル・シリアル映像信号は、夫々、アダプタ２─１〜２−ｎを介してデバイダ３−１〜３−ｎに入力される。デバイダ３−１〜３−ｎでは、ビデオカメラ１−１〜１−ｎからのデジタル・シリアル映像信号が、夫々、デジタル・シリアル映像信号ａ１  〜ａｎ  、デジタル・シリアル映像信号ｂ１  〜ｂｎ  の２つに分けられ、一方のデジタル・シリアル映像信号ａ１  〜ａｎ  は、メインスイッチャー４に入力される。
【００１９】
メインスイッチャー４では、デジタル・シリアル映像信号ａ１  〜ａｎ  のうちから所定のデジタル・シリアル映像信号が選択され、この選択されたデジタル・シリアル映像信号がメインスイッチャー４から送出される。
デバイダ３−１〜３−ｎで分離されたもう一方のデジタル・シリアル映像信号ｂ１  〜ｂｎ  は、夫々、映像監視装置５の信号付加器１１−１〜１１−ｎに入力される。
【００２０】
例えば信号付加器１１−１に入力されたデジタル・シリアル映像信号ｂ１  は、Ｓ／Ｐ変換部２１においてデジタル・パラレル映像信号に変換され、複合部２２に入力される。また、素材名信号とオンエア制御信号とからなる制御信号も複合部２２に入力される。複合部２２では、映像信号の補助データ位置に素材名信号、及びオンエア制御信号が挿入され、多重化される。
【００２１】
信号付加器１１−１〜１１−ｎで多重化された映像信号ｃ１  〜ｃｎ  は切替器１２に入力される。切替器１２では、多重化されたデジタル・シリアル映像信号ｃ１  〜ｃｎ  の供給先が設定される。
例えばビデオカメラ１−１〜１−ｎの映像を、夫々、モニタ１４−１〜１４−ｎに表示したい時には、図５（Ａ）の斜線で示されるスイッチ盤１２−１のスイッチを押す。
【００２２】
スイッチがこのように押されたとき、デジタル・シリアル映像信号ｃ１  〜ｃｎ  は、夫々、信号検出器１３−１〜１３−ｎに入力される。例えば信号検出器１３−１に入力されたデジタル・シリアル映像信号ｃ１  は、Ｓ／Ｐ変換部３３においてデジタル・パラレル映像信号に変換され、この信号から補助データ位置に多重化された素材名信号とオンエア制御信号が検出される。そして素材名信号とオンエア制御信号が分離された後、映像信号はＤ／Ａ変換部３４にてアナログ信号に変換され、モニタ１４−１へ出力される。また、素材名信号とオンエア制御信号は、さらに信号検出部３５において分離され、夫々、素材表示器１５−１、オンエア灯１６−１へ供給される。素材表示器１５−１の表示によりモニタ１４−１に表示されている映像がビデオカメラ１−１からのものであることが確認され、オンエア灯１６−１が点灯しているときは、ビデオカメラ１−１の映像がオンエア中であることが確認される。
【００２３】
ビデオカメラの映像を表示するモニタを交換したい場合、例えば、ビデオカメラ１−１の映像をモニタ１４−２に、ビデオカメラ１−２の映像をモニタ１４−１に表示したい場合には、図５（Ｂ）の斜線で示すスイッチを押す。これにより、デジタル・シリアル映像信号ｃ１  ，ｃ２  は、夫々、信号検出器１３−２，１３−１に出力される。そして、信号検出器１３−２，１３−１では、デジタル・シリアル映像信号ｃ１  ，ｃ２  から各素材名信号とオンエア制御信号が分離され、ビデオカメラ１−１の映像がモニタ１４−２に、ビデオカメラ１−２の映像がモニタ１４−１に表示されると共に、素材表示器１５−１と素材表示器１５−２、オンエア灯１６−１とオンエア灯１６−２も各モニタに対応して簡単に切り替わる。
【００２４】
かかる構成によれば、デジタル・シリアル映像信号に素材名信号、オンエア制御信号を多重化し、切替器を通過後、信号検出器で素材名信号、オンエア制御信号を分離することにより、映像信号を供給するモニタを変更したとき、素材名等も自動的に変更される。したがって、例えば複数の人が使用する場合に使用者の使い勝手に合わせモニタの位置を変更する場合でも、配線の誤りに起因するような放送事故が発生することもなく、信頼性の高いシステムを構築することができる。
【００２５】
また、１本の映像線に素材名信号とオンエア制御信号である制御信号が多重化されるので、映像線１系統だけを接続すればよいので、システムを簡単に構築することが出来る。
また、映像信号にデジタル・シリアル信号を使用しているので、簡単に素材名信号とオンエア制御信号をデジタル・シリアル映像信号に多重化することが出来、信頼性もさらに向上する。
【００２６】
尚、本実施例では、素材名称とオンエア灯の制御について説明したが、これに限らず複雑な切換器を通る映像信号と、この信号と対になった情報を伝送するようにしても構わない。このようにすれば簡単な構造で信頼性の高いシステムを構築することができる。
【００２７】
【発明の効果】
以上説明したように、請求項１の発明にかかる映像監視装置では、映像信号を供給する監視用映像表示装置を変更したときには、素材名等も自動的に変更され、配線の誤りに起因する放送事故が発生することもなく、信頼性の高いシステムを構築することができる。また、１本の映像線に制御信号が多重化されるので、映像線１系統だけを接続すればよく、システムを簡単に構築することが出来る。
【００２８】
請求項２の発明にかかる映像監視装置では、映像信号の非映像信号部分に映像素材情報及び送出情報の信号を多重化することにより、多重化した映像素材情報及び送出情報の信号を容易に分離することが出来る。
請求項３の発明にかかる映像監視装置では、簡単に映像素材情報及び送出情報をデジタル・シリアル映像信号に多重化することが出来、信頼性もさらに向上する。
【図面の簡単な説明】
【図１】本発明の一実施例の構成を示すブロック図。
【図２】図１の映像監視装置を備えた放送システムのブロック図。
【図３】図１の信号付加器の構成を示すブロック図。
【図４】図１の信号検出器の構成を示すブロック図。
【図５】図１の切替器のスイッチ盤を示す図。
【図６】ＳＭＰＴＥ２５９Ｍ規格のデジタル・シリアル映像信号の説明図。
【符号の説明】
１−１〜１−ｎ  ビデオカメラ
１１−２〜１１−ｎ  信号付加器
１２  切替器
１３−２〜１３−ｎ  信号検出器
【図１】
0003606608.tif 000002
【図２】
0003606608.tif 000003
【図３】
0003606608.tif 000004
【図４】
0003606608.tif 000005
【図５】
0003606608.tif 000006
【図６】
0003606608.tif 000007